(57)【要約】  デザイン性を高めることができるとともに、表示ユニットを安定して支持することができる表示装置を提供する。その表示装置は、正面に表示画面が配置された表示ユニットと、表示ユニットを下方から支持するスタンドと、を備える。スタンドは、表示ユニットの背面側において表示ユニットを支持し、表示ユニットの横幅方向に延びるベース部と、ベース部の長手方向における両端部をそれぞれ下方から支持し、表示ユニットの下端縁を前後方向に跨ぐようにして延びる一対の脚部と、を有する。
2016103620.tif 000002
【特許請求の範囲】
【請求項１】
正面に表示画面が配置された表示ユニットと、
前記表示ユニットを下方から支持するスタンドと、を備え、
前記スタンドは、
前記表示ユニットの背面側において前記表示ユニットを支持し、前記表示ユニットの横幅方向に延びるベース部と、
前記ベース部の長手方向における両端部をそれぞれ下方から支持し、前記表示ユニットの下端縁を前後方向に跨ぐようにして延びる一対の脚部と、を有する、
表示装置。
【請求項２】
前記スタンドは、さらに、前記ベース部の長手方向に間隔を置いて配置され、前記ベース部と前記表示ユニットの背面とを連結する一対の連結部材を有する、
請求項１に記載の表示装置。
【請求項３】
前記ベース部は、前記一対の連結部材を固定するための一対の第１の固定部及び一対の第２の固定部を有し、
前記一対の第２の固定部の配置間隔は、前記一対の第１の固定部の配置間隔よりも小さく、
前記一対の連結部材はそれぞれ、
前記表示画面のサイズが第１のサイズである場合には、前記一対の第１の固定部に固定され、
前記表示画面のサイズが前記第１のサイズよりも小さい第２のサイズである場合には、前記一対の第２の固定部に固定される、
請求項２に記載の表示装置。
【請求項４】
前記一対の脚部はそれぞれ、前記ベース部の長手方向における両端部に着脱自在に固定される、
請求項１に記載の表示装置。
【請求項５】
前記スタンドは、さらに、
前記脚部を前記スタンドの外側から覆う外側カバー部材と、
前記脚部を前記スタンドの内側から覆い、前記外側カバー部材とで前記脚部を挟み込む内側カバー部材と、を有する、
請求項１に記載の表示装置。
【請求項６】
前記外側カバー部材及び前記内側カバー部材の一方は爪部を有し、
前記外側カバー部材及び前記内側カバー部材の他方は、前記爪部が係合される被係合部を有する、
請求項５に記載の表示装置。
【請求項７】
前記被係合部は、前記外側カバー部材及び前記内側カバー部材の他方の外周縁に形成された切り欠き部であり、
前記外側カバー部材及び前記内側カバー部材の他方は、さらに、前記切り欠き部に係合された前記爪部の先端部の近傍に配置された突部を有する、
請求項６に記載の表示装置。
【請求項８】
前記スタンドは、さらに、前記一対の脚部の各々の前記表示ユニットの正面側における端部同士を相互に接続する接続部を有する、
請求項１に記載の表示装置。
【請求項９】
前記スタンドは、さらに、前記接続部及び前記一対の脚部の各々を前記スタンドの外側から覆う正面側カバー部材を有する、
請求項８に記載の表示装置。
【請求項１０】
前記正面側カバー部材の表面に鏡面が形成されている、
請求項９に記載の表示装置。
【請求項１１】
前記表示ユニットは、前記表示画面が凹面状になるように湾曲しており、
前記ベース部は、前記表示ユニットの背面に沿って湾曲しながら、前記表示ユニットの横幅方向に延びている、
請求項１に記載の表示装置。
【請求項１２】
表示画面を有する表示ユニットを下方から支持するためのスタンドであって、
一の方向に延び、前記表示ユニットの背面側において前記表示ユニットを支持するためのベース部と、
前記ベース部の長手方向における両端部をそれぞれ下方から支持し、前記ベース部材の長手方向と交差する方向に延びる一対の脚部と、を有する、
スタンド。
【発明の詳細な説明】
【技術分野】
【０００１】
本開示は、表示装置及び表示装置に用いられるスタンドに関する。
【背景技術】
【０００２】
特許文献１は、スタンドを備えた表示装置を開示する。スタンドは、表示画面を有するパネル状の表示ユニットを下方から支持する。従来のスタンドは、プレート状の台座と、台座から上方に向けて延びる支柱とを有している。支柱の上端部は、表示ユニットの背面にネジ等で固定されている。
【先行技術文献】
【特許文献】
【０００３】
【特許文献１】特開２００７−１５６１７６号公報
【発明の概要】
【０００４】
本開示は、デザイン性を高めることができるとともに、表示ユニットを安定して支持することができる表示装置及び表示装置に用いられるスタンドを提供する。
【０００５】
本開示における表示装置は、正面に表示画面が配置された表示ユニットと、表示ユニットを下方から支持するスタンドと、を備える。スタンドは、表示ユニットの背面側において表示ユニットを支持し、表示ユニットの横幅方向に延びるベース部と、ベース部の長手方向における両端部をそれぞれ下方から支持し、表示ユニットの下端縁を前後方向に跨ぐようにして延びる一対の脚部と、を有する。
【０００６】
本開示における表示装置は、デザイン性を高めることができるとともに、表示ユニットを安定して支持することができる。
【図面の簡単な説明】
【０００７】
【図１】図１は、実施の形態１における表示装置の正面側の一構成例を模式的に示す斜視図である。
【図２】図２は、実施の形態１における表示装置の背面側の一構成例を模式的に示す斜視図である。
【図３】図３は、実施の形態１における表示装置の正面側の一構成例を模式的に示す図である。
【図４】図４は、実施の形態１における表示装置の側面側の一構成例を模式的に示す図である。
【図５】図５は、実施の形態１におけるスタンドの一構成例を模式的に示す斜視図である。
【図６】図６は、実施の形態１におけるスタンドの一部を分解した状態を模式的に示す分解斜視図である。
【図７】図７は、実施の形態１におけるスタンドのフレームを分解した状態を模式的に示す分解斜視図である。
【図８】図８は、図５のＶＩＩＩ−ＶＩＩＩ線断面の一部を模式的に示す部分断面図である。
【図９】図９は、図６の一部を拡大して示す分解斜視図である。
【図１０】図１０は、実施の形態１におけるスタンドの第１の外側カバー部材の一構成例を模式的に示す斜視図である。
【図１１】図１１は、図５のＸＩ−ＸＩ線断面を模式的に示す断面図である。
【図１２】図１２は、実施の形態１におけるスタンドの連結金具の一構成例を模式的に示す斜視図である。
【図１３】図１３は、実施の形態１の変形例１におけるスタンドの一構成例を模式的に示す図である。
【図１４】図１４は、実施の形態１の変形例２におけるスタンドの一構成例を模式的に示す斜視図である。
【図１５】図１５は、実施の形態１の変形例２におけるスタンドの一部を分解した状態を模式的に示す分解斜視図である。
【図１６】図１６は、実施の形態１の変形例３における表示装置の正面側の一構成例を模式的に示す斜視図である。
【図１７】図１７は、実施の形態１の変形例３におけるスタンドの一構成例を模式的に示す斜視図である。
【発明を実施するための形態】
【０００８】
以下、適宜図面を参照しながら、実施の形態を詳細に説明する。ただし、必要以上に詳細な説明は省略する場合がある。例えば、すでによく知られた事項の詳細説明、および実質的に同一の構成に対する重複説明を省略する場合がある。これは、以下の説明が不必要に冗長になるのを避け、当業者の理解を容易にするためである。
【０００９】
なお、添付図面および以下の説明は、当業者が本開示を十分に理解するために提供されるのであって、これらにより請求の範囲に記載の主題を限定することは意図されていない。
【００１０】
また、各図は、模式図であり、必ずしも厳密に図示されたものではない。また、各図において、同じ構成要素については同じ符号を付している。
【００１１】
（実施の形態１）
以下、図１〜図１２を参照しながら、実施の形態１について説明する。
【００１２】
［１−１．表示装置の全体構成］
まず、図１〜図４を参照しながら、実施の形態１における表示装置２の全体構成について説明する。
【００１３】
図１は、実施の形態１における表示装置２の正面側の一構成例を模式的に示す斜視図である。
【００１４】
図２は、実施の形態１における表示装置２の背面側の一構成例を模式的に示す斜視図である。
【００１５】
図３は、実施の形態１における表示装置２の正面側の一構成例を模式的に示す図である。
【００１６】
図４は、実施の形態１における表示装置２の側面側の一構成例を模式的に示す図である。
【００１７】
なお、以下では、必要に応じて、ＸＹＺ軸を用いて説明を行う。本実施の形態では、便宜的に、表示装置２の長手方向に平行（実質的に平行）な方向をＸ軸とし、表示装置２の短手方向に平行（実質的に平行）な方向をＺ軸とし、Ｘ軸及びＺ軸の双方に直交する方向をＹ軸とする。また、ＸＹ平面に対して鉛直方向、すなわちＺ軸方向が重力方向であり、通常の使用状況下では、表示装置２は、ＸＹ平面に平行（実質的に平行）な設置面１１（図３、図４参照）に設置されるものとする。また、表示装置２を視聴するユーザ（図示せず）に正対する側を「正面」とし、正面の反対側を「背面」とし、設置面１１に対してＺ軸方向に相対的に遠い方を「上」とし、設置面１１に対してＺ軸方向に相対的に近い方を「下」とする。
【００１８】
図１〜図４に示すように、表示装置２は、例えばフラットパネルディスプレイ型の液晶テレビジョン受像機である。表示装置２は、表示ユニット４及びスタンド６を備える。なお、表示装置２は、有機ＥＬ（Ｅｌｅｃｔｒｏ  Ｌｕｍｉｎｅｓｃｅｎｃｅ）等を用いたテレビジョン受像機であってもよい。
【００１９】
表示ユニット４は、液晶パネル８及び筺体１０を有する。表示ユニット４は、全体的な形状が矩形状のフラットパネル状に形成されている。
【００２０】
液晶パネル８は、筺体１０の内部に配置されている。図１及び図３に示すように、液晶パネル８の正面には、画像が表示される表示画面８ａが形成されている。
【００２１】
筺体１０は、フロントキャビネット１０ａ及びリアキャビネット１０ｂを有する。フロントキャビネット１０ａは矩形状の枠状に形成され、液晶パネル８の表示画面８ａの外周部を覆うように配置されている。リアキャビネット１０ｂは、液晶パネル８の背面全体を覆うように配置され、フロントキャビネット１０ａと連結されている。これにより、図１及び図３に示すように、表示ユニット４の正面には、液晶パネル８の表示画面８ａが配置される。
【００２２】
なお、筺体１０の内部には、上述した液晶パネル８の他に、例えば液晶パネル８を支持するための金属製のシャーシ（図示せず）、等が配置されている。シャーシは、リアキャビネット１０ｂの内面に固定されており、リアキャビネット１０ｂとともに表示ユニット４の背面に配置されている。
【００２３】
スタンド６は、表示ユニット４を下方から支持するためのものであり、設置面１１に設置されている。図２に示すように、スタンド６は、リアキャビネット１０ｂを貫通して上述したシャーシ（すなわち、表示ユニット４の背面）に連結されている。本実施の形態の表示装置２では、スタンド６の構成に特徴がある。スタンド６の構成については後述する。
【００２４】
［１−２．スタンドの構成］
次に、図１〜図１２を参照しながら、実施の形態１におけるスタンド６の構成について説明する。
【００２５】
図５は、実施の形態１におけるスタンド６の一構成例を模式的に示す斜視図である。
【００２６】
図６は、実施の形態１におけるスタンド６の一部を分解した状態を模式的に示す分解斜視図である。
【００２７】
図７は、実施の形態１におけるスタンド６のフレーム１２を分解した状態を模式的に示す分解斜視図である。
【００２８】
図８は、図５のＶＩＩＩ−ＶＩＩＩ線断面の一部を模式的に示す部分断面図である。
【００２９】
図９は、図６の一部を拡大して示す分解斜視図である。
【００３０】
図１０は、実施の形態１におけるスタンド６の第１の外側カバー部材１６の一構成例を模式的に示す斜視図である。
【００３１】
図１１は、図５のＸＩ−ＸＩ線断面を模式的に示す断面図である。
【００３２】
図１２は、実施の形態１におけるスタンド６の連結金具２４（２６）の一構成例を模式的に示す斜視図である。
【００３３】
図５及び図６に示すように、スタンド６は、フレーム１２、正面側カバー部材１４、第１の外側カバー部材１６、第１の内側カバー部材１８、第２の外側カバー部材２０、第２の内側カバー部材２２、及び一対の連結金具２４、２６、を有する。一対の連結金具２４、２６は、一対の連結部材の一例である。
【００３４】
［１−２−１．フレームの構成］
図６及び図７に示すように、フレーム１２は、ベース部２８、一対の脚部３０、３２、及び接続部３４、を有している。これらのベース部２８、一対の脚部３０、３２、及び接続部３４は、フレーム１２の全体的な形状が略矩形状になるように組み合わされている。なお、フレーム１２は、例えば、鉄、アルミニウム、又は銅、等の板金で形成されている。
【００３５】
図５〜図７に示すように、ベース部２８は、表示ユニット４の横幅方向（Ｘ軸方向）を長手方向として直線状に延びた形状に形成されている。なお、図２及び図４に示すように、スタンド６が表示ユニット４の背面に連結された状態では、ベース部２８は、表示ユニット４の背面に対向する位置に配置される。
【００３６】
ベース部２８の長手方向に垂直な断面の形状は、例えば略コの字状（長方形の長辺の一辺（設置面１１側）が開放した形状）である（図７、図９参照）。ベース部２８の長手方向（Ｘ軸方向）の一端部近傍には、ネジ３６を挿通するための一対の挿通孔３８が形成されている（図７参照）。また、ベース部２８の長手方向における他端部近傍には、ネジ４０を挿通するための一対の挿通孔４２が形成されている。
【００３７】
ベース部２８の長手方向における一端部と中央部との間の部位には、連結金具２４を固定するための固定部４３が配置されている。固定部４３には、ネジ４４をネジ止めするための一対のネジ孔４６と、連結金具２４のフック部１２８（後述する図１２参照）が係合される貫通孔４８と、が形成されている。また、ベース部２８の長手方向における他端部と中央部との間の部位には、連結金具２６を固定するための固定部４９が配置されている。固定部４９には、ネジ５０をネジ止めするための一対のネジ孔５２と、連結金具２６のフック部１３４（後述する図１２参照）が係合される貫通孔５４と、が形成されている。
【００３８】
図６及び図７に示すように、一対の脚部３０、３２は、ベース部２８の長手方向における両端部に着脱自在に固定されている。
【００３９】
脚部３０は、ベース部２８の長手方向における一端部に一対のネジ３６により固定されている。脚部３０は、本体部３０ａと、本体部３０ａから表示ユニット４の正面側に直線状に張り出した前側張り出し部３０ｂと、本体部３０ａから表示ユニット４の背面側に略三角形状に張り出した後側張り出し部３０ｃと、を有する。なお、前側張り出し部３０ｂの本体部３０ａからの張り出し量は、後側張り出し部３０ｃの本体部３０ａからの張り出し量の約２倍程度である。
【００４０】
本体部３０ａの上端部には、内側（ベース部２８側）に略垂直に折り曲げられて形成された支持部５６が設けられている。支持部５６は、ベース部２８の長手方向における一端部を下方から支持するためのものである。支持部５６には、ネジ３６をネジ止めするための一対のネジ孔５８が形成されている。ネジ３６がベース部２８の挿通孔３８を通してネジ孔５８にネジ止めされることにより、脚部３０がベース部２８の長手方向における一端部に固定される。これにより、脚部３０は、ベース部２８の長手方向（Ｘ軸方向）に略垂直な方向（すなわち、ベース部２８の長手方向と交差する方向、Ｙ軸方向）を長手方向として配置される。
【００４１】
また、前側張り出し部３０ｂの先端部には、ネジ６０をネジ止めするためのネジ孔６２が形成されている。さらに、図６〜図８に示すように、脚部３０の外周縁のうち本体部３０ａと前側張り出し部３０ｂとの境界部には、凹部６４が形成されている。なお、図７に示すように、脚部３０の下面（すなわち、スタンド６の設置面１１に対向する面）には、滑り止め用の複数のゴム足６６が脚部３０の長手方向（Ｙ軸方向）に間隔を置いて貼り付けられている。すなわち、脚部３０は、複数のゴム足６６を介して設置面１１に設置される。
【００４２】
図６及び図７に示すように、脚部３２は、ベース部２８の長手方向における他端部に一対のネジ４０により固定されている。脚部３２は、上述した脚部３０の形状と左右対称の形状を有している。すなわち、脚部３２は、本体部３２ａと、本体部３２ａから表示ユニット４の正面側に直線状に張り出した前側張り出し部３２ｂと、本体部３２ａから表示ユニット４の背面側に略三角形状に張り出した後側張り出し部３２ｃと、を有する。前側張り出し部３２ｂの本体部３２ａからの張り出し量は、後側張り出し部３２ｃの本体部３２ａからの張り出し量の約２倍程度である。
【００４３】
本体部３２ａの上端部には、内側（ベース部２８側）に略垂直に折り曲げられて形成された支持部６８が設けられている。支持部６８は、ベース部２８の長手方向における他端部を下方から支持するためのものである。支持部６８には、ネジ４０をネジ止めするための一対のネジ孔７０が形成されている。ネジ４０がベース部２８の挿通孔４２を通してネジ孔７０にネジ止めされることにより、脚部３２がベース部２８の長手方向における他端部に固定される。これにより、脚部３２は、ベース部２８の長手方向（Ｘ軸方向）に略垂直な方向（Ｙ軸方向）を長手方向として配置される。
【００４４】
前側張り出し部３２ｂの先端部には、ネジ７２をネジ止めするためのネジ孔７４が形成されている。さらに、図６及び図７に示すように、脚部３２の外周縁のうち本体部３２ａと前側張り出し部３２ｂとの境界部には、凹部７６が形成されている。図７に示すように、脚部３２の下面には、滑り止め用の複数のゴム足７８が脚部３２の長手方向（Ｙ軸方向）に間隔を置いて貼り付けられている。すなわち、脚部３２は、複数のゴム足７８を介して設置面１１に設置される。
【００４５】
なお、図４に示すように、スタンド６が表示ユニット４の背面に連結された状態では、一対の脚部３０、３２の各々は、表示ユニット４の下端縁４ａを前後方向（Ｙ軸方向）に跨ぐようにして配置される。すなわち、前側張り出し部３０ｂ、３２ｂは表示ユニット４の前方に張り出し、後側張り出し部３０ｃ、３２ｃは表示ユニット４の後方に張り出す。
【００４６】
図６及び図７に示すように、接続部３４は、一対の脚部３０、３２の各々の表示ユニット４の正面側における端部（前側張り出し部３０ｂ、３２ｂの先端部）を相互に接続するためのものである。接続部３４は、表示ユニット４の横幅方向（Ｘ軸方向）を長手方向として直線状に延びた形状に形成されている。接続部３４の長手方向（Ｘ軸方向）における一端部には、ネジ６０を挿通するための挿通孔８０が形成されている。ネジ６０が挿通孔８０を通して脚部３０のネジ孔６２にネジ止めされることにより、接続部３４の長手方向における一端部が脚部３０の前側張り出し部３０ｂの先端部に固定される。また、接続部３４の長手方向（Ｘ軸方向）における他端部には、ネジ７２を挿通するための挿通孔８２が形成されている。ネジ７２が挿通孔８２を通して脚部３２のネジ孔７４にネジ止めされることにより、接続部３４の長手方向における他端部が脚部３２の前側張り出し部３２ｂの先端部に固定される。
【００４７】
なお、スタンド６は、スタンド６が設置された設置面１１に接続部３４が接触しないように構成されている。すなわち、接続部３４は、スタンド６の設置面１１に接触せず、スタンド６の設置面１１から、例えば１〜２ｍｍ程度離間した状態となる。そのため、表示ユニット４の重量は、一対の脚部３０、３２により支持される。
【００４８】
なお、表示画面８ａのサイズ（インチ）が比較的大きい場合には、表示ユニット４をより安定して支持するために、後側張り出し部３０ｃの本体部３０ａからの張り出し量をさらに大きくしてもよい。
【００４９】
［１−２−２．正面カバー部材の構成］
図５及び図６に示すように、正面側カバー部材１４は、フレーム１２を化粧するためのものであり、例えば樹脂で形成されている。正面側カバー部材１４は、Ｘ軸方向に直線状に延びる本体部１４ａと、本体部１４ａの長手方向における両端部からそれぞれ略垂直（Ｙ軸方向）に延びる一対の延長部１４ｂ、１４ｃとを有する。
【００５０】
本体部１４ａは、接続部３４をスタンド６の外側から覆うように配置され、例えば複数の両面テープ８４により接続部３４に固定される。一対の延長部１４ｂ、１４ｃは、それぞれが脚部３０の前側張り出し部３０ｂ及び脚部３２の前側張り出し部３２ｂをスタンド６の外側から覆うように配置される。
【００５１】
さらに、延長部１４ｂの先端部には爪部８６が形成され、延長部１４ｃの先端部には爪部８８が形成されている。図６及び図８に示すように、爪部８６は脚部３０の凹部６４に係合され、爪部８８は脚部３２の凹部７６に係合される。
【００５２】
なお、正面側カバー部材１４をフレーム１２に固定する際には、まず、本体部１４ａを接続部３４の表面から離した状態で、一対の爪部８６、８８を、それぞれ脚部３０の凹部６４及び脚部３２の凹部７６に係合させる。その後に、本体部１４ａを、接続部３４の表面に近付けて、接続部３４の表面に貼り付けられた複数の両面テープ８４に押し付ける。
【００５３】
さらに、図５及び図６に示すように、正面側カバー部材１４の表面、具体的には、本体部１４ａ及び一対の延長部１４ｂ，１４ｃの各々の表面、には、鏡面９０が形成されている。鏡面９０は、図５において網掛け模様で示した領域である。鏡面９０は、例えば金属箔を正面側カバー部材１４の表面に熱転写することにより形成される。
【００５４】
［１−２−３．第１の外側カバー部材及び第１の内側カバー部材の構成］
図５、図６、及び図９に示すように、第１の外側カバー部材１６、第１の内側カバー部材１８、第２の外側カバー部材２０、及び第２の内側カバー部材２２の各々は、上述した正面側カバー部材１４と同様にフレーム１２を化粧するためのものであり、例えば樹脂で形成されている。
【００５５】
図５、図６、及び図９に示すように、第１の外側カバー部材１６は、脚部３０の本体部３０ａ及び後側張り出し部３０ｃをスタンド６の外側（ベース部２８が配置された側の反対側）から覆うように配置される。第１の内側カバー部材１８は、脚部３０の本体部３０ａ及び後側張り出し部３０ｃをスタンド６の内側（ベース部２８が配置された側）から覆うように配置される。すなわち、第１の外側カバー部材１６及び第１の内側カバー部材１８は、脚部３０の本体部３０ａ及び後側張り出し部３０ｃを両側から挟み込むようにして配置される。
【００５６】
図５及び図６に示すように、第２の外側カバー部材２０は、脚部３２の本体部３２ａ及び後側張り出し部３２ｃをスタンド６の外側（ベース部２８が配置された側の反対側）から覆うように配置される。第２の内側カバー部材２２は、脚部３２の本体部３２ａ及び後側張り出し部３２ｃをスタンド６の内側（ベース部２８が配置された側）から覆うように配置される。すなわち、第２の外側カバー部材２０及び第２の内側カバー部材２２は、脚部３２の本体部３２ａ及び後側張り出し部３２ｃを両側から挟み込むようにして配置される。
【００５７】
第１の外側カバー部材１６及び第１の内側カバー部材１８は、それぞれが、第２の外側カバー部材２０及び第２の内側カバー部材２２の各々の形状と左右略対称の形状を有している。そのため、以下では、第１の外側カバー部材１６及び第１の内側カバー部材１８の各々の構成についてのみ説明し、第２の外側カバー部材２０及び第２の内側カバー部材２２の説明は省略する。
【００５８】
図１０に示すように、第１の外側カバー部材１６の内面には、本体部３０ａを間に挟んで対向する位置に配置された第１の内側カバー部材１８に向けて延びる一対の爪部９２、９４が形成されている。一対の爪部９２、９４は、Ｙ軸方向に間隔を置いて配置されている。第１の外側カバー部材１６の外周縁には、本体部３０ａを間に挟んで対向する位置に配置された第１の内側カバー部材１８に向けて折り曲げられた折り曲げ部１６ａが形成されている。この折り曲げ部１６ａの内面には、一対の爪部９６、９８が形成されている。さらに、折り曲げ部１６ａの内面には、一対のガイド部１００、１０２が形成されている。一対のガイド部１００、１０２は、互いに対向するようにしてＹ軸方向に延びている。
【００５９】
図９に示すように、第１の内側カバー部材１８の外周縁には、略矩形状の一対の切り欠き部１０４、１０６（被係合部の一例）が形成されている。切り欠き部１０４は、Ｚ軸方向に延びる垂直部１０４ａと、Ｙ軸方向に延びる水平部１０４ｂと、を有している。切り欠き部１０６は、Ｚ軸方向に延びる垂直部１０６ａと、Ｙ軸方向に延びる水平部１０６ｂと、を有している。図１１に示すように、一対の水平部１０４ｂ、１０６ｂには、それぞれ、本体部３０ａを間に挟んで対向する位置に配置された第１の外側カバー部材１６が有する一対のガイド部１００、１０２がガイドされる。これにより、第１の外側カバー部材１６が第１の内側カバー部材１８に対して位置決めされる。また、一対の垂直部１０４ａ、１０６ａには、それぞれ、本体部３０ａを間に挟んで対向する位置に配置された第１の外側カバー部材１６の一対の爪部９２、９４が係合される。
【００６０】
第１の内側カバー部材１８の外周縁には、さらに、本体部３０ａを間に挟んで対向する位置に配置された第１の外側カバー部材１６に向けて延びる一対の係合片１０８、１１０が形成されている。これらの一対の係合片１０８、１１０にはそれぞれ一対の孔部１１２、１１４（被係合部の一例）が形成されている。一対の孔部１１２、１１４には、それぞれ、本体部３０ａを間に挟んで対向する位置に配置された第１の外側カバー部材１６の一対の爪部９６、９８が係合される。
【００６１】
さらに、第１の内側カバー部材１８の下端部における外周縁には、本体部３０ａを間に挟んで対向する位置に配置された第１の外側カバー部材１６に向けて延びるフック部１１６が形成されている。図９に示すように、フック部１１６は、脚部３０の後側張り出し部３０ｃの下端部に形成された凹部１１８に係合される。
【００６２】
なお、図９及び図１１に示すように、第１の内側カバー部材１８の外面（すなわち、第１の外側カバー部材１６と反対側の面）には、一対の突部１２０、１２２が形成されている。一対の突部１２０、１２２は、それぞれ、上述した一対の垂直部１０４ａ、１０６ａの近傍に配置される。すなわち、突部１２０は、垂直部１０４ａに係合された爪部９２の近傍に配置され、突部１２２は、垂直部１０６ａに係合された爪部９４の近傍に配置される。
【００６３】
［１−２−４．連結金具の構成］
図５及び図６に示すように、一対の連結金具２４、２６は、ベース部２８の長手方向に間隔を置いて配置される。一対の連結金具２４、２６の各々は、ベース部２８と表示ユニット４の背面とを連結するためのＬ字状の連結金具である。
【００６４】
図５及び図１２に示すように、連結金具２４の一辺２４ａには、ネジ４４を挿通するための一対の挿通孔１２４が形成されている。連結金具２４の他辺２４ｂには、ネジ１３６を挿通するための一対の挿通孔１２６が形成されている。連結金具２４の他辺２４ｂには、さらに、下方に突出するフック部１２８が設けられている。
【００６５】
図６に示すように、フック部１２８（図１２参照）がベース部２８の貫通孔４８に係合されるとともに、ネジ４４が挿通孔１２４を通してベース部２８のネジ孔４６にネジ止めされることにより、連結金具２４がベース部２８の固定部４３に固定される。
【００６６】
図５及び図１２に示すように、連結金具２６の一辺２６ａには、ネジ５０を挿通するための一対の挿通孔１３０が形成されている。連結金具２６の他辺２６ｂには、ネジ１３８を挿通するための一対の挿通孔１３２が形成されている。連結金具２６の他辺２６ｂには、さらに、下方に突出するフック部１３４が設けられている。
【００６７】
図６に示すように、フック部１３４（図１２参照）がベース部２８の貫通孔５４に係合されるとともに、ネジ５０が挿通孔１３０を通してベース部２８のネジ孔５２にネジ止めされることにより、連結金具２６がベース部２８の固定部４９に固定される。
【００６８】
図５に示すように、ネジ１３６が連結金具２４の挿通孔１２６を通して表示ユニット４（図５には示さず）のシャーシにネジ止めされるとともに、ネジ１３８が連結金具２６の挿通孔１３２を通して表示ユニット４のシャーシにネジ止めされる。これにより、ベース部２８と表示ユニット４の背面とが一対の連結金具２４、２６によって連結される。すなわち、表示ユニット４の背面側が一対の連結金具２４、２６を介してベース部２８に支持されることで、表示ユニット４はベース部２８上に支持される。なお、図２に示すように、連結金具２４の他辺２４ｂ及び連結金具２６の他辺２６ｂの各々は、リアキャビネット１０ｂの一部により覆われている。
【００６９】
［１−３．効果等］
以上のように、本実施の形態において、表示装置は、正面に表示画面が配置された表示ユニットと、表示ユニットを下方から支持するスタンドと、を備える。スタンドは、表示ユニットの背面側において表示ユニットを支持し、表示ユニットの横幅方向に延びるベース部と、ベース部の長手方向における両端部をそれぞれ下方から支持し、表示ユニットの下端縁を前後方向に跨ぐようにして延びる一対の脚部と、を有する。
【００７０】
また、本実施の形態において、スタンドは、表示画面を有する表示ユニットを下方から支持するためのスタンドであって、一の方向に延び、表示ユニットの背面側において表示ユニットを支持するためのベース部と、ベース部の長手方向における両端部をそれぞれ下方から支持し、ベース部材の長手方向と交差する方向に延びる一対の脚部と、を有する。
【００７１】
なお、表示装置２は表示装置の一例である。表示画面８ａは表示画面の一例である。表示ユニット４は表示ユニットの一例である。スタンド６はスタンドの一例である。ベース部２８はベース部の一例である。下端縁４ａは下端縁の一例である。一対の脚部３０、３２は一対の脚部の一例である。
【００７２】
例えば、実施の形態１に示した表示装置２の構成例では、表示装置２は、正面に表示画面８ａが配置された表示ユニット４と、表示ユニット４を下方から支持するスタンド６とを備える。スタンド６は、表示ユニット４の背面側において表示ユニット４を支持し、表示ユニット４の横幅方向に延びるベース部２８と、ベース部２８の長手方向における両端部をそれぞれ下方から支持し、表示ユニット４の下端縁４ａを前後方向に跨ぐようにして延びる一対の脚部３０、３２と、を有する。
【００７３】
また、実施の形態１に例示したスタンド６は、表示画面８ａを有する表示ユニット４を下方から支持するためのものである。スタンド６は、一の方向（表示ユニット４の横幅方向、Ｘ軸方向）に延び、表示ユニット４の背面側において表示ユニット４を支持するためのベース部２８と、ベース部２８の長手方向における両端部をそれぞれ下方から支持し、ベース部２８の長手方向と交差する方向に延びる一対の脚部３０、３２と、を有する。
【００７４】
これにより、図３に示すように、ユーザが表示装置２を正面側から見るときに、一対の脚部３０、３２の間には何も存在しない空間が形成されるようになるので、あたかも表示ユニット４が宙に浮いているような感じをユーザに与えることができる。その結果、スタンド６の存在が表示ユニット４よりも目立つのを抑制することができ、表示装置２のデザイン性を高めることができる。さらに、ベース部２８が表示ユニット４を支持するとともに、一対の脚部３０、３２がそれぞれベース部２８の長手方向における両端部を下方から支持するので、表示ユニット４を安定して支持することができる。
【００７５】
本実施の形態において、スタンドは、さらに、ベース部の長手方向に間隔を置いて配置され、ベース部と表示ユニットの背面とを連結する一対の連結部材を有していてもよい。
【００７６】
なお、一対の連結金具２４、２６は、一対の連結部材の一例である。
【００７７】
例えば、実施の形態１に示した表示装置２の構成例では、スタンド６は、ベース部２８の長手方向に間隔を置いて配置され、ベース部２８と表示ユニット４の背面とを連結する一対の連結金具２４、２６を有する。
【００７８】
これにより、表示ユニット４の背面側において、表示ユニット４を一対の連結金具２４、２６を介してベース部２８上に支持することができる。
【００７９】
本実施の形態において、一対の脚部は、それぞれ、ベース部の長手方向における両端部に着脱自在に固定されてもよい。
【００８０】
なお、一対の脚部３０、３２は一対の脚部の一例である。
【００８１】
例えば、実施の形態１に示した表示装置２の構成例では、一対の脚部３０、３２は、それぞれ、ベース部２８の長手方向における両端部に着脱自在に固定される。
【００８２】
これにより、表示装置２の製造時に、表示画面８ａのサイズに対応する長さのベース部２８を準備しておけば、当該ベース部２８の長手方向における両端部にそれぞれ一対の脚部３０、３２を固定することで、表示装置２の一部を製造できる。その結果、スタンド６を組み立てる際に、スタンド６の部品の一部（一対の脚部３０、３２）を、表示画面８ａのサイズが異なる表示装置２を製造する際に共通化することができるので、表示装置２を効率良く製造することができる。
【００８３】
本実施の形態において、スタンドは、さらに、脚部をスタンドの外側から覆う外側カバー部材と、脚部をスタンドの内側から覆い、外側カバー部材とで脚部を挟み込む内側カバー部材と、を有していてもよい。
【００８４】
なお、第１の外側カバー部材１６、第２の外側カバー部材２０は、それぞれが外側カバー部材の一例である。第１の内側カバー部材１８、第２の内側カバー部材２２は、それぞれが内側カバー部材の一例である。
【００８５】
例えば、実施の形態１に示した表示装置２の構成例では、スタンド６は、脚部３０をスタンド６の外側から覆う第１の外側カバー部材１６と、脚部３０をスタンド６の内側から覆い、第１の外側カバー部材１６とで脚部３０を挟み込む第１の内側カバー部材１８と、を有する。また、スタンド６は、脚部３２をスタンド６の外側から覆う第２の外側カバー部材２０と、脚部３２をスタンド６の内側から覆い、第２の外側カバー部材２０とで脚部３２を挟み込む第２の内側カバー部材２２と、を有する。
【００８６】
これにより、板金で形成されたフレーム１２を化粧することができる。
【００８７】
本実施の形態において、外側カバー部材及び内側カバー部材の一方は爪部を有していてもよく、外側カバー部材及び内側カバー部材の他方は、爪部が係合される被係合部を有していてもよい。
【００８８】
なお、第１の外側カバー部材１６、第２の外側カバー部材２０は、それぞれが、外側カバー部材及び内側カバー部材の一方の一例である。第１の内側カバー部材１８、第２の内側カバー部材２２は、それぞれが、外側カバー部材及び内側カバー部材の他方の一例である。爪部９２、９４、９６、９８は、それぞれが爪部の一例である。切り欠き部１０４、１０６、孔部１１２、１１４は、それぞれが被係合部の一例である。
【００８９】
例えば、実施の形態１に示した表示装置２の構成例では、第１の外側カバー部材１６は、爪部９２、９４を有し、第１の内側カバー部材１８は、爪部９２が係合される切り欠き部１０４と、爪部９４が係合される切り欠き部１０６と、を有する。また、第１の外側カバー部材１６は爪部９６、９８を有し、第１の内側カバー部材１８は、爪部９６が係合される孔部１１２と、爪部９８が係合される孔部１１４と、を有する。
【００９０】
これにより、表示装置２では、ネジ等を用いることなく、第１の外側カバー部材１６と第１の内側カバー部材１８とを相互に固定することができる。その結果、ネジの頭部等が第１の外側カバー部材１６及び第１の内側カバー部材１８の各々の表面に露出する、といったことが防止されるので、表示装置２のデザイン性をより高めることができる。
【００９１】
本実施の形態において、被係合部は、外側カバー部材及び内側カバー部材の他方の外周縁に形成された切り欠き部であってもよい。外側カバー部材及び内側カバー部材の他方は、さらに、切り欠き部に係合された爪部の先端部の近傍に配置された突部を有していてもよい。
【００９２】
なお、切り欠き部１０４、１０６は、それぞれが切り欠き部の一例である。爪部９２、９４は、それぞれが爪部の一例である。突部１２０、１２２は、それぞれが突部の一例である。
【００９３】
例えば、実施の形態１に示した表示装置２の構成例では、爪部９２は、第１の内側カバー部材１８の外周縁に形成された切り欠き部１０４に係合され、爪部９４は、第１の内側カバー部材１８の外周縁に形成された切り欠き部１０６に係合される。また、第１の内側カバー部材１８は、切り欠き部１０４に係合された爪部９２の先端部の近傍に配置された突部１２０を有し、切り欠き部１０６に係合された爪部９４の先端部の近傍に配置された突部１２２を有する。
【００９４】
これにより、例えばユーザが表示装置２を持ち上げる際に、ユーザの手が爪部９２又は爪部９４の先端部に触れるのを抑制することができる。その結果、爪部９２と切り欠き部１０４との係合が誤って解除されたり、爪部９４と切り欠き部１０６との係合が誤って解除されたりするのを抑制することができる。
【００９５】
本実施の形態において、スタンドは、さらに、一対の脚部の各々の、表示ユニットの正面側における端部同士を相互に接続する接続部を有していてもよい。
【００９６】
なお、接続部３４は接続部の一例である。
【００９７】
例えば、実施の形態１に示した表示装置２の構成例では、スタンド６は、一対の脚部３０、３２の各々の、表示ユニット４の正面側における端部同士を相互に接続する接続部３４を有する。
【００９８】
これにより、スタンド６の剛性を高めることができる。
【００９９】
本実施の形態において、スタンドは、さらに、接続部及び一対の脚部の各々をスタンドの外側から覆う正面側カバー部材を有していてもよい。
【０１００】
なお、正面側カバー部材１４は正面側カバー部材の一例である。
【０１０１】
例えば実施の形態１に示した表示装置２の構成例では、スタンド６は、接続部３４及び一対の脚部３０、３２の各々をスタンド６の外側から覆う正面側カバー部材１４を有する。
【０１０２】
これにより、板金で形成されたフレーム１２を化粧することができる。
【０１０３】
本実施の形態において、正面側カバー部材の表面には鏡面が形成されていてもよい。
【０１０４】
なお、鏡面９０は鏡面の一例である。
【０１０５】
例えば実施の形態１に示した表示装置２の構成例では、正面側カバー部材１４の表面には鏡面９０が形成されている。
【０１０６】
これにより、表示装置２の周囲の景色が鏡面９０に映り込むので、スタンド６が表示装置２の周囲の景色に溶け込むという視覚的効果を得ることができる。その結果、スタンド６の存在が表示ユニット４よりも目立つのをより一層効果的に抑制することができる。
【０１０７】
（実施の形態１の変形例１）
［２−１．スタンドの構成］
次に、図１３を参照しながら、実施の形態１の変形例１におけるスタンド６Ａの構成について説明する。
【０１０８】
図１３は、実施の形態１の変形例１におけるスタンド６Ａの一構成例を模式的に示す図である。
【０１０９】
変形例１に示すスタンド６Ａは、上記実施の形態１に示したスタンド６と実質的に同じである。しかし、図１３に示すように、本変形例に示すスタンド６Ａは、フレーム１２Ａのベース部２８Ａの構成が、上記実施の形態１に示したベース部２８と異なる。
【０１１０】
すなわち、ベース部２８Ａには、一対の固定部４３ａ、４９ａ（一対の第１の固定部の一例）及び一対の固定部４３ｂ、４９ｂ（一対の第２の固定部の一例）が配置されている。
【０１１１】
ベース部２８Ａは、この点が、一対の固定部４３、４９のみを有するベース部２８とは異なる。しかし、この点を除き、スタンド６Ａはスタンド６と実質的に同じであるので、ベース部２８が有する構成要素と実質的に同じ構成要素には同じ符号を付与して説明を省略する。また、固定部４３ａ、４３ｂは、上記実施の形態１に示した固定部４３と実質的に同じであり、固定部４９ａ、４９ｂは、上記実施の形態１に示した固定部４９と実質的に同じである。
【０１１２】
図１３に示すように、スタンド６Ａにおいて、一対の固定部４３ｂ、４９ｂの配置間隔Ｗ２は、一対の固定部４３ａ，４９ａの配置間隔Ｗ１よりも小さい。
【０１１３】
そして、表示画面８ａ（図１参照）のサイズが比較的大きい（例えば、５０インチ）場合には、一対の連結金具２４、２６（図５参照）はそれぞれ一対の固定部４３ａ、４９ａに固定される。また、表示画面８ａのサイズが比較的小さい（例えば、４０インチ）場合には、一対の連結金具２４、２６はそれぞれ一対の固定部４３ｂ、４９ｂに固定される。
【０１１４】
［２−２．効果等］
以上のように、本変形例において、スタンドが備えるベース部は、一対の連結部材を固定するための一対の第１の固定部及び一対の第２の固定部を有する。一対の第２の固定部の配置間隔は、一対の第１の固定部の配置間隔よりも小さい。一対の連結部材は、それぞれ、表示画面のサイズが第１のサイズである場合には、一対の第１の固定部に固定され、表示画面のサイズが第１のサイズよりも小さい第２のサイズである場合には、一対の第２の固定部に固定される。
【０１１５】
なお、スタンド６Ａはスタンドの一例である。ベース部２８Ａはベース部の一例である。一対の連結金具２４、２６は一対の連結部材の一例である。一対の固定部４３ａ、４９ａは一対の第１の固定部の一例である。一対の固定部４３ｂ、４９ｂは一対の第２の固定部の一例である。配置間隔Ｗ１は一対の第１の固定部の配置間隔の一例である。配置間隔Ｗ２は一対の第２の固定部の配置間隔の一例である。表示画面８ａは表示画面の一例である。表示画面８ａのサイズの一例として示した５０インチは第１のサイズの一例であり、表示画面８ａのサイズの一例として示した４０インチは第２のサイズの一例である。
【０１１６】
例えば変形例１に示したスタンド６Ａの構成例では、スタンド６Ａはベース部２８Ａを備える。ベース部２８Ａは、一対の連結金具２４、２６を固定するための一対の固定部４３ａ、４９ａ及び一対の固定部４３ｂ、４９ｂを有する。一対の固定部４３ｂ、４９ｂの配置間隔Ｗ２は、一対の固定部４３ａ、４９ａの配置間隔Ｗ１よりも小さい。一対の連結金具２４、２６は、それぞれ、表示画面８ａのサイズが第１のサイズ（例えば、５０インチ）である場合には、一対の固定部４３ａ、４９ａに固定され、表示画面８ａのサイズが第１のサイズよりも小さい第２のサイズ（例えば、４０インチ）である場合には、一対の固定部４３ｂ、４９ｂに固定される。
【０１１７】
これにより、スタンド６Ａは、表示画面８ａのサイズに応じて、一対の連結金具２４、２６の各々の、ベース部２８Ａに対する固定位置を変えることができる。これにより、スタンド６Ａは、表示ユニット４（図１参照）を、より一層安定して支持することができる。
【０１１８】
なお、本変形例では、ベース部２８Ａに２組の一対の固定部を配置する構成例を示したが、本開示は何らこの構成に限定されない。ベース部２８Ａに、３組以上の一対の固定部が配置されてもよい。
【０１１９】
（実施の形態の変形例２）
［３−１．スタンドの構成］
次に、図１４及び図１５を参照しながら、実施の形態１の変形例２におけるスタンド６Ｂの構成について説明する。
【０１２０】
図１４は、実施の形態１の変形例２におけるスタンド６Ｂの一構成例を模式的に示す斜視図である。
【０１２１】
図１５は、実施の形態１の変形例２におけるスタンド６Ｂの一部を分解した状態を模式的に示す分解斜視図である。
【０１２２】
変形例２に示すスタンド６Ｂは、上記実施の形態１に示したスタンド６と実質的に同じである。しかし、図１４及び図１５に示すように、本変形例に示すスタンド６Ｂは、フレーム１２Ｂの一対の脚部３０Ｂ、３２Ｂの各々の形状が、上記実施の形態１に示した一対の脚部３０、３２の各々の形状と異なる。
【０１２３】
すなわち、脚部３０Ｂの前側張り出し部３０Ｂｂは、スタンド６Ｂが設置された設置面１１に対して逆Ｖ字状に屈曲しながら、本体部３０Ｂａから表示ユニット４（図１参照）の正面側に張り出している。脚部３２Ｂの前側張り出し部３２Ｂｂも同様に、スタンド６Ｂが設置された設置面１１に対して逆Ｖ字状に屈曲しながら、本体部３２Ｂａから表示ユニット４の正面側に張り出している。なお、脚部３０Ｂの本体部３０Ｂａ及び脚部３２Ｂの本体部３２Ｂａの各々の下端部は、設置面１１に対して逆Ｖ字状に切り欠かれている。
【０１２４】
これに伴い、正面側カバー部材１４Ｂは、脚部３０Ｂ、３２Ｂの各々の形状に対応した形状を有する。また、第１の外側カバー部材１６Ｂ及び第１の内側カバー部材１８Ｂの各々は、脚部３０Ｂの形状に対応した形状を有する。また、第２の外側カバー部材２０Ｂ及び第２の内側カバー部材２２Ｂの各々は、脚部３２Ｂの形状に対応した形状を有する。
【０１２５】
スタンド６Ｂは、これらの点が、上記実施の形態１に示したスタンド６と異なる。しかし、これらの点を除き、スタンド６Ｂはスタンド６と実質的に同じであるので、スタンド６が有する構成要素と実質的に同じ構成要素には同じ符号を付与して説明を省略する。また、スタンド６Ｂが有する構成要素のうち、スタンド６が有する構成要素と同じ名称で異なる符合の構成要素は、スタンド６が有する同名の構成要素と、形状は異なるが構造及び機能は実質的に同じであるので、詳細な説明を省略する。
【０１２６】
［３−２．効果等］
なお、一対の脚部３０Ｂ、３２Ｂは一対の脚部の一例である。
【０１２７】
例えば、変形例２に示すように、スタンド６Ｂの一対の脚部３０Ｂ、３２Ｂの各々が、上記実施の形態１に示したスタンド６の一対の脚部３０、３２と異なる形状であってもよい。このような場合であっても、表示装置のデザイン性を高めることができるとともに、表示ユニット４をスタンド６Ｂによって安定して支持することができる。
【０１２８】
（実施の形態の変形例３）
［４−１．表示装置の構成］
次に、図１６及び図１７を参照しながら、実施の形態１の変形例３における表示装置２Ｃの構成について説明する。
【０１２９】
図１６は、実施の形態１の変形例３における表示装置２Ｃの正面側の一構成例を模式的に示す斜視図である。
【０１３０】
図１７は、実施の形態１の変形例３におけるスタンド６Ｃの一構成例を模式的に示す斜視図である。
【０１３１】
変形例３に示す表示装置２Ｃは、上記実施の形態１に示した表示装置２と実質的に同じである。しかし、図１６に示すように、本変形例に示す表示装置２Ｃは、湾曲パネルディスプレイ型の液晶テレビジョン受像機である点が、上記実施の形態１に示した表示装置２と異なる。
【０１３２】
すなわち、表示ユニット４Ｃは、液晶パネル８Ｃの表示画面８ａが凹面状になるように、全体的な形状が矩形状の湾曲パネル状に形成されている。これに伴い、筺体１０Ｃは、湾曲した矩形状の枠状に形成されている。なお、表示装置２Ｃは、湾曲パネルディスプレイ型の有機ＥＬテレビジョン受像機であってもよい。
【０１３３】
図１７に示すように、本変形例におけるスタンド６Ｃでは、フレーム１２Ｃのベース部２８Ｃは、表示ユニット４Ｃの背面に沿って湾曲しながら、表示ユニット４Ｃの横幅方向を長手方向として円弧状に延びた形状に形成されている。
【０１３４】
ベース部２８Ｃの長手方向における両端部の近傍には、それぞれ、上記実施の形態１で説明した一対の連結金具２４、２６が固定されている。さらに、ベース部２８Ｃの長手方向における中央部には、連結金具１４０が固定されている。なお、連結金具２４、２６、１４０の各々のベース部２８Ｃから表示ユニット４Ｃ側への突出量は略同一である。
【０１３５】
また、フレーム１２Ｃの接続部３４Ｃは、ベース部２８Ｃの曲率に合わせて湾曲しながら、表示ユニット４Ｃの横幅方向を長手方向として円弧状に延びた形状に形成されている。これに伴い、正面側カバー部材１４Ｃの本体部１４Ｃａも同様に、湾曲しながら表示ユニット４Ｃの横幅方向を長手方向として円弧状に延びた形状に形成されている。
【０１３６】
表示装置２Ｃは、これらの点が、上記実施の形態１に示した表示装置２と異なる。しかし、これらの点を除き、表示装置２Ｃは表示装置２と実質的に同じであるので、表示装置２が有する構成要素と実質的に同じ構成要素には同じ符号を付与して説明を省略する。また、表示装置２Ｃが有する構成要素のうち、表示装置２が有する構成要素と同じ名称で異なる符合の構成要素は、表示装置２が有する同名の構成要素と、形状は異なるが構造及び機能は実質的に同じであるので、詳細な説明を省略する。
【０１３７】
［４−２．効果等］
以上のように、本変形例において、表示装置が備える表示ユニットは、表示画面が凹面状になるように湾曲しており、ベース部は、表示ユニットの背面に沿って湾曲しながら、表示ユニットの横幅方向に延びている。
【０１３８】
なお、表示装置２Ｃは表示装置の一例である。表示ユニット４Ｃは表示ユニットの一例である。表示画面８ａは表示画面の一例である。ベース部２８Ｃはベース部の一例である。
【０１３９】
例えば変形例３に示した表示装置２Ｃの構成例では、表示装置２Ｃは表示ユニット４Ｃを備える。表示ユニット４Ｃは、表示画面８ａが凹面状になるように湾曲している。ベース部２８Ｃは、表示ユニット４Ｃの背面に沿って湾曲しながら、表示ユニット４Ｃの横幅方向に延びている。
【０１４０】
これにより、表示装置２Ｃが例えば湾曲パネルディスプレイ型の液晶テレビジョン受像機であっても、表示装置２Ｃのデザイン性を高めることができるとともに、表示ユニット４Ｃをスタンド６Ｃによって安定して支持することができる。
【０１４１】
なお、本変形例では、ベース部２８Ｃが、湾曲しながら表示ユニット４Ｃの横幅方向を長手方向として円弧状に延びるように構成された例を示したが、本開示は何らこの構成に限定されない。表示装置２Ｃが湾曲パネルディスプレイ型の液晶テレビジョン受像機である場合に、上記実施の形態１と同様に、ベース部２８Ｃが表示ユニット４Ｃの横幅方向を長手方向として直線状に延びる形状に構成されてもよい。この場合、表示ユニット４Ｃの曲率に合わせて、一対の連結金具２４、２６の各々のベース部２８Ｃから表示ユニット４Ｃ側への突出量は、連結金具１４０のベース部２８Ｃから表示ユニット４Ｃ側への突出量よりも大きくなる。
【０１４２】
（他の実施の形態）
以上のように、本出願において開示する技術の例示として、実施の形態１及びその変形例１〜３を説明した。しかしながら、本開示における技術は、これに限定されず、変更、置き換え、付加、省略等を行った実施の形態にも適用可能である。また、上記実施の形態１及びその変形例１〜３で説明した各構成要素を組み合わせて、新たな実施の形態とすることも可能である。
【０１４３】
そこで、以下、他の実施の形態を例示する。
【０１４４】
実施の形態１及び変形例１〜３では、表示装置２を液晶テレビジョン受像機で構成する構成例を説明したが、本開示は何らこの構成に限定されない。表示装置２を、例えばパーソナルコンピュータ用の液晶ディスプレイ又は有機ＥＬ（Ｅｌｅｃｔｒｏ  Ｌｕｍｉｎｅｓｃｅｎｃｅ）ディスプレイ等で構成してもよい。
【０１４５】
実施の形態１及び変形例１〜３では、ベース部２８と一対の連結金具２４、２６とを別体とする構成例を説明したが、本開示は何らこの構成に限定されない。例えば、ベース部２８と一対の連結金具２４、２６とを一体的に成形してもよい。
【０１４６】
実施の形態１及び変形例１〜３では、フレーム１２が接続部３４を有する構成例を説明したが、本開示は何らこの構成に限定されない。例えば、接続部３４を省略してもよい。
【０１４７】
実施の形態１及び変形例１〜３では、ベース部２８と一対の脚部３０、３２の各々とを別体とする構成例を説明したが、本開示は何らこの構成に限定されない。例えば、ベース部２８と一対の脚部３０、３２の各々とを一体的に成形してもよい。
【０１４８】
実施の形態１及び変形例１〜３では、第１の外側カバー部材１６が爪部９２、９４、９６、９８を有し、第１の内側カバー部材１８が切り欠き部１０４、１０６及び孔部１１２、１１４を有する構成例を説明したが、本開示は何らこの構成に限定されない。例えば、この構成とは反対に構成されてもよい。すなわち、第１の外側カバー部材１６が切り欠き部１０４、１０６及び孔部１１２、１１４を有し、第１の内側カバー部材１８が爪部９２、９４、９６、９８を有する構成であってもよい。
【０１４９】
実施の形態１及び変形例１〜３では、正面側カバー部材１４を複数の両面テープ８４により接続部３４に固定する構成例を説明したが、本開示は何らこの構成に限定されない。例えば、正面側カバー部材１４及び接続部３４の一方に爪部を設けるとともに、それらの他方に凹部を設けてもよい。この場合、爪部が凹部に係合されることによって、正面側カバー部材１４が接続部３４に固定される。
【０１５０】
以上のように、本開示における技術の例示として、実施の形態及び変形例を説明した。そのために、添付図面及び詳細な説明を提供した。
【０１５１】
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１５２】
また、上述の実施の形態は、本開示における技術を例示するためのものであるから、請求の範囲又はその均等の範囲において種々の変更、置き換え、付加、省略等を行うことができる。
【産業上の利用可能性】
【０１５３】
本開示は、スタンドを備えた表示装置に適用可能である。具体的には、例えば液晶テレビジョン受像機及びパーソナルコンピュータ用の液晶ディスプレイ、等に、本開示は適用可能である。
【符号の説明】
【０１５４】
２，２Ｃ    表示装置
４，４Ｃ    表示ユニット
４ａ    下端縁
６，６Ａ，６Ｂ，６Ｃ    スタンド
８，８Ｃ    液晶パネル
８ａ    表示画面
１０，１０Ｃ    筺体
１０ａ    フロントキャビネット
１０ｂ    リアキャビネット
１１    設置面
１２，１２Ａ，１２Ｂ，１２Ｃ    フレーム
１４，１４Ｂ，１４Ｃ    正面側カバー部材
１４ａ，１４Ｃａ    本体部
１４ｂ，１４ｃ    延長部
１６，１６Ｂ    第１の外側カバー部材
１８，１８Ｂ    第１の内側カバー部材
２０，２０Ｂ    第２の外側カバー部材
２２，２２Ｂ    第２の内側カバー部材
２４，２６，１４０    連結金具
２４ａ，２６ａ    一辺
２４ｂ，２６ｂ    他辺
２８，２８Ａ，２８Ｃ    ベース部
３０，３０Ｂ，３２，３２Ｂ    脚部
３０ａ，３０Ｂａ，３２ａ，３２Ｂａ    本体部
３０ｂ，３０Ｂｂ，３２ｂ，３２Ｂｂ    前側張り出し部
３０ｃ，３２ｃ    後側張り出し部
３４，３４Ｃ    接続部
３６，４０，４４，５０，６０，７２，１３６，１３８    ネジ
３８，４２，８０，８２，１２４，１２６，１３０，１３２    挿通孔
４３，４３ａ，４３ｂ，４９，４９ａ，４９ｂ    固定部
４６，５２，５８，６２，７０，７４    ネジ孔
４８，５４    貫通孔
５６，６８    支持部
６４，７６，１１８    凹部
６６，７８    ゴム足
８４    両面テープ
８６，８８    爪部
９０    鏡面
９２，９４，９６，９８    爪部
１００，１０２    ガイド部
１０４，１０６    切り欠き部
１０４ａ，１０６ａ    垂直部
１０４ｂ，１０６ｂ    水平部
１０８，１１０    係合片
１１２，１１４    孔部
１１６，１２８，１３４    フック部
１２０，１２２    突部
【図１】
2016103620.tif 000003
【図２】
2016103620.tif 000004
【図３】
2016103620.tif 000005
【図４】
2016103620.tif 000006
【図５】
2016103620.tif 000007
【図６】
2016103620.tif 000008
【図７】
2016103620.tif 000009
【図８】
2016103620.tif 000010
【図９】
2016103620.tif 000011
【図１０】
2016103620.tif 000012
【図１１】
2016103620.tif 000013
【図１２】
2016103620.tif 000014
【図１３】
2016103620.tif 000015
【図１４】
2016103620.tif 000016
【図１５】
2016103620.tif 000017
【図１６】
2016103620.tif 000018
【図１７】
2016103620.tif 000019
【国際調査報告】
2016103620.tif 000020
2016103620.tif 000021
2016103620.tif 000022
2016103620.tif 000023